(57)【特許請求の範囲】
【請求項１】
電波を介してデータを表示装置に送信する送信部と、
前記送信部の動作モードを、前記データを送信しながら前記電波の送信方向を走査し、前記電波の最適な送信方向を探す第１モードおよび前記送信方向が固定された第２モードのいずれかに切り替える制御部と、
前記最適な送信方向を特定する情報を記憶する第１の記憶部と、
前記送信部の動作モードを指定するための操作部と
を有し、
前記操作部において前記動作モードとして前記第１モードが指定されているときは、前記制御部は、前記送信方向を走査した後で、前記最適な送信方向に前記電波の送信方向を固定するための前記動作モードを前記第２モードに切り替えるための処理を行い、
自装置の電源が投入された場合において前記操作部において前記動作モードとして前記第２モードが指定されているときは、前記制御部は、
前記データを送信しながら前記電波の送信方向を走査し、前記電波の最適な送信方向を探し、
前記最適な送信方向と前記第１の記憶部に記憶されている情報により特定される方向とが一致する場合、前記第１の記憶部に記憶されている情報により特定される方向が前記電波の送信方向となるように前記送信部を制御し、
前記最適な送信方向と前記第１の記憶部に記憶されている情報により特定される方向とが一致しない場合、最適な前記電波の送信方向が前回と異なっている旨を通知するように第１通知を制御する
データ供給装置。
【請求項２】
前記送信部が前記第２モードで動作しているときに前記電波の送信状態が所定の状態よりも悪化した場合、前記制御部は、前記動作モードを前記第１モードに切り替える
ことを特徴とする請求項１に記載のデータ供給装置。
【請求項３】
前記データ供給装置の電源が投入されたとき、前記制御部は、前記動作モードを前記第１モードに設定する
ことを特徴とする請求項１または２のいずれか一項に記載のデータ供給装置。
【請求項４】
データが入力されていない場合、前記制御部は、前記動作モードを前記第１モードに切り替える
ことを特徴とする請求項１ないし３のいずれか一項に記載のデータ供給装置。
【請求項５】
前記送信部は、あらかじめ決められたテストパターンのデータを、前記電波を介して送信する
ことを特徴とする請求項１ないし４のいずれか一項に記載のデータ供給装置。
【請求項６】
前記電波の送信方向が前記最適な送信方向になっていることを通知する第１通知部
を有する請求項１ないし５のいずれか一項に記載のデータ供給装置。
【請求項７】
前記動作モードが前記第１モードから前記第２モードに切り替わったことを通知する第２通知部
を有する請求項１ないし６のいずれか一項に記載のデータ供給装置。
【請求項８】
前記データ供給装置は、外部からデータの入力を受け付ける入力部を有し、
前記送信部は、前記入力部により受け付けられたデータを送信する
ことを特徴とする請求項１ないし７のいずれか一項に記載のデータ供給装置。
【請求項９】
前記データ供給装置は、データを記憶する第２の記憶部を有し、
前記送信部は、前記第２の記憶部に記憶されているデータを送信する
ことを特徴とする請求項１ないし７のいずれか一項に記載のデータ供給装置。
【請求項１０】
表示装置と、
前記表示装置に映像データを供給するデータ供給装置と
を有し、
前記データ供給装置は、
外部から前記映像データの入力を受け付ける入力部と、
前記入力部により入力が受け付けられた映像データを、電波を介して表示装置に送信する送信部と、
前記送信部の動作モードを、前記映像データを送信しながら前記電波の送信方向を走査し、前記電波の最適な送信方向を探す第１モードおよび前記送信方向が固定された第２モードのいずれかに切り替える制御部と、
前記最適な送信方向を特定する情報を記憶する第１の記憶部と、
前記送信部の動作モードを指定するための操作部と
を有し、
前記表示装置は、
前記電波の最適な受信方向を探しながら前記映像データを受信する受信部と、
前記データ供給装置から前記通知を受信すると、前記受信部における前記電波の受信方向を固定する第２制御部と、
前記受信部により受信された映像データにより示される映像を投写する投写部と
を有し、
前記第１モードにおいて、前記送信方向を走査した後で前記最適な送信方向に前記電波の送信方向が固定され、
自装置の電源が投入された場合において前記操作部において前記動作モードとして前記第２モードが指定されているときは、前記制御部は、
前記映像データを送信しながら前記電波の送信方向を走査し、前記電波の最適な送信方向を探し、
前記最適な送信方向と前記第１の記憶部に記憶されている情報により特定される方向とが一致する場合、前記第１の記憶部に記憶されている情報により特定される方向が前記電波の送信方向となるように前記送信部を制御し、
前記最適な送信方向と前記第１の記憶部に記憶されている情報により特定される方向とが一致しない場合、最適な前記電波の送信方向が前回と異なっている旨を通知するように第１通知を制御する
表示システム。
【請求項１１】
前記表示装置は、前記電波の受信強度を報知する報知部を有する
ことを特徴とする請求項１０に記載の表示システム。
【請求項１２】
データを、送信部が電波を介して表示装置に送信するステップと、
制御部が、前記送信部の動作モードを、前記データを送信しながら前記電波の送信方向を走査し、前記電波の最適な送信方向を探す第１モードおよび前記送信方向が固定された第２モードのいずれかに切り替えるステップと、
前記最適な送信方向を特定する情報を記憶部に記憶するステップと、
操作部を介して前記送信部の動作モードの指定を受け付けるステップと
を有し、
前記操作部において前記動作モードとして前記第１モードが指定されているときは、前記制御部は、前記送信方向を走査した後で、前記最適な送信方向に前記電波の送信方向を固定するための前記動作モードを前記第２モードに切り替えるための処理を前記制御部が行い、
自装置の電源が投入された場合において前記操作部において前記動作モードとして前記第２モードが指定されているときは、前記制御部が、
前記データを送信しながら前記電波の送信方向を走査し、前記電波の最適な送信方向を探し、
前記最適な送信方向と前記記憶部に記憶されている情報により特定される方向とが一致する場合、前記記憶部に記憶されている情報により特定される方向が前記電波の送信方向となるように前記送信部を制御し、
前記最適な送信方向と前記記憶部に記憶されている情報により特定される方向とが一致しない場合、最適な前記電波の送信方向が前回と異なっている旨を通知するように通知部を制御する
データ供給方法。
【発明の詳細な説明】
【技術分野】
【０００１】
本発明は、無線でデータを供給する技術に関する。
【背景技術】
【０００２】
映像供給装置から画像データの入力を受け付け、入力された画像データを無線でプロジェクター等の表示装置に送信するデータ供給装置が知られている。このようなデータ供給装置において、電波（ビーム）の方向を特定の方向に制御するビームフォーミングの技術が知られている（例えば特許文献１）。特許文献１には、最適な伝送路を探すためビームの方向を動的に切り替える技術が記載されている。
【先行技術文献】
【特許文献】
【０００３】
【特許文献１】国際公開ＷＯ２００８／０９０８３６号
【発明の概要】
【発明が解決しようとする課題】
【０００４】
特許文献１に記載の技術においては、種々の外乱によって最適な伝送路が誤認識されてしまうと、瞬間的に伝送路が切り替わりかえってデータ伝送が不安定になるおそれがあった。
【０００５】
これに対し本発明は、データ供給装置とデータ受信装置との間の通信の安定性を向上させる技術を提供する。
【課題を解決するための手段】
【０００６】
本発明は、外電波を介してデータを送信する送信部と、前記送信部の動作モード
を、前記データを送信しながら前記電波の最適な送信方向を探す第１モードおよび前
記送信方向が固定された第２モードのいずれかに切り替える制御部とを有するデータ
供給装置を提供する。
このデータ供給装置によれば、データを送信しながら電波の最適な送信方向を常に
探す構成と比較して通信をより安定させることができる。
【０００７】
このデータ供給装置は、前記動作モードを指定するための操作部を有してもよい。
このデータ供給装置によれば、ユーザーの指示により動作モードを指定することが
できる。
【０００８】
このデータ供給装置は、前記最適な送信方向を特定する情報を記憶する第１の記憶
部を有し、前記データ供給装置の電源が投入された場合において前記操作部において
前記動作モードとして前記第２モードが指定されているときは、前記制御部は、前記
第１の記憶部に記憶されている情報により特定される方向に前記電波の送信方向を制
御してもよい。
このデータ供給装置によれば、第２モードが指定されているときには前回までの送
信方向を踏襲することができる。
【０００９】
前記送信部が前記第２モードで動作しているときに前記電波の送信状態が所定の状
態よりも悪化した場合、前記制御部は、前記動作モードを前記第１モードに切り替え
てもよい。
このデータ供給装置によれば、電波の送信状態が悪化したときに電波の最適な送信
方向を検索することができる。
【００１０】
前記データ供給装置の電源が投入されたとき、前記制御部は、前記動作モードを前
記第１モードに設定してもよい。
このデータ供給装置によれば、電源が投入されたときに自動的に電波の最適な送信
方向を検索することができる。
【００１１】
データが入力されていない場合、前記制御部は、前記動作モードを前記第１モード
に切り替えもよい。
このデータ供給装置によれば、データが供給されていないときに動作モードを第１
モードに切り替えることができる。
【００１２】
前記送信部は、あらかじめ決められたテストパターンのデータを、前記電波を介し
て送信してもよい。
このデータ供給装置によれば、データが供給されていなくてもテストパターンの
データで通信状態を評価することができる。
【００１３】
このデータ供給装置は、前記電波の送信方向が前記最適な送信方向になっているこ
とを通知する第１通知部を有してもよい。
このデータ供給装置によれば、電波の送信方向が前記最適な送信方向になっている
ことを容易に知ることができる。
【００１４】
このデータ供給装置は、前記動作モードが前記第１モードから前記第２モードに切
り替わったことを通知する第２通知部を有してもよい。
このデータ供給装置によれば、動作モードが切り替わったことを容易に知ることが
できる。
【００１５】
このデータ供給装置は、外部からデータの入力を受け付ける入力部を有し、前記送
信部は、前記入力部により受け付けられたデータを送信してもよい。
このデータ供給装置によれば、入力されたデータを送信しながら電波の最適な送信
方向を常に探す構成と比較して通信をより安定させることができる。
【００１６】
このデータ供給装置は、データを記憶する第２の記憶部を有し、前記送信部は、前
記第２の記憶部に記憶されているデータを送信してもよい。
このデータ供給装置によれば、記憶されているデータを送信しながら電波の最適な
送信方向を常に探す構成と比較して通信をより安定させることができる。
【００１７】
また、本発明は、表示装置と、前記表示装置に映像データを供給するデータ供給装
置とを有し、前記データ供給装置は、外部から前記映像データの入力を受け付ける入
力部と、前記入力部により入力が受け付けられた映像データを、電波を介して送信す
る送信部と、前記送信部の動作モードを、前記映像データを送信しながら前記電波の
最適な送信方向を探す第１モードおよび前記送信方向が固定された第２モードのいず
れかに切り替える第１制御部と、前記送信部の動作モードが前記第１モードから前記
第２モードに切り替わった場合、前記表示装置に第２モードに切り替わった旨を通知
する通知部とを有し、前記表示装置は、前記電波の最適な受信方向を探しながら前記
映像データを受信する受信部と、前記データ供給装置から前記通知を受信すると、前
記受信部における前記電波の受信方向を固定する第２制御部と、前記受信部により受
信された映像データにより示される映像を投写する投写部とを有する表示システムを
提供する。
この表示システムによれば、データを送信しながら電波の最適な送信方向を常に探
す構成と比較して通信をより安定させることができる。
【００１８】
この表示装置は、前記電波の受信強度を報知する報知部を有してもよい。
この投写システムによれば、電波の受信強度を容易に確認することができる。
【００１９】
さらに、本発明は、データを、送信部が電波を介して送信するステップと、前記送
信部の動作モードを、前記データを送信しながら前記電波の最適な送信方向を探す第
１モードおよび前記送信方向が固定された第２モードのいずれかに切り替えるステッ
プとを有するデータ供給方法を提供する。
このデータ供給方法によれば、データを送信しながら電波の最適な送信方向を常に
探す構成と比較して通信をより安定させることができる。                                                                          
【図面の簡単な説明】
【００２０】
【図１】データの伝送路を例示する図
【図２】一実施形態に係る投写システム１の構成を示す図
【図３】設置時におけるデータ供給装置１０の動作を示すフローチャート
【図４】固定モードにおけるデータ供給装置１０の動作を示すフローチャート
【発明を実施するための形態】
【００２１】
１．概要
無線を介したデータ伝送においては、ビームステアリングと言われる技術が知られている。これは、指向性を有する電波を介してデータ伝送をする際、伝送路の途中に障害物が侵入したり電波の反射面の状態が変わったりすることによって伝送状態が悪化した場合に、電波の方向を変えることによって伝送の欠落を防止する技術である。
【００２２】
図１は、データの伝送路を例示する図である。この例では、ある部屋の中に送信機９１および受信機９２が設置されている。部屋には、カーテン９３および家具９４が設置されている。送信機９１から受信機９２までの伝送路には、例えば経路Ａ〜Ｃの３つの経路がある。経路Ａは、カーテン９３で電波が反射される経路である。経路Ｂは、壁面で電波が反射される経路である。経路Ｃは、壁面および家具９４で電波が反射される経路である。経路Ａ〜Ｃは、それぞれ電波強度およびエラー率が異なる。電波強度およびエラー率を基に、最適な伝送路すなわち電波の送信方向が決定される。
【００２３】
例えばある時点において、経路Ｂが最適な経路であると判断された例を考える。このとき、風でカーテン９３が揺れると電波の反射状態が変わる。電波強度およびエラー率が改善する方向に変化し、経路Ａの方が経路Ｂよりも良い経路だと判断されると、送信機９１および受信機９２における電波の方向が経路Ａに相当する方向に切り替えられる。しかし、カーテン９３の揺らぎは一時的なものであるので、電波の反射状態はまたすぐに悪化してしまう。すると送信機９１および受信機９２における電波の方向が経路Ｂに相当する方向に切り替えられる。このような伝送状態の変動は、埃の発生や室内における人間の移動など種々の要因で発生する可能性がある。特に、決まった空間において送信機９１および受信機９２を固定して使用するような場合、このような外乱によりいちいち電波の方向を切り替えていたのでは、かえってデータ伝送が不安定になってしまうことがある。本実施形態は、このような問題に対処する。
【００２４】
２．構成
図２は、一実施形態に係る投写システム１の構成を示す図である。投写システム１は、映像供給装置（例えば、ＤＶＤプレーヤーやパーソナルコンピュータ。図示略）から供給される映像をスクリーンに投写する。投写システム１は、データ供給装置１０およびプロジェクター２０を有する。データ供給装置１０は、映像供給装置から供給された映像データを、プロジェクター２０に無線で送信する送信機（送信装置）である。プロジェクター２０は、受信した映像データに従った映像を投写する。
【００２５】
データ供給装置１０は、入力部１１、送信部１２、制御部１３、操作部１４、記憶部１５、および通知部１６を有する。入力部１１は、映像供給装置から映像データの入力を受け付ける。入力部１１は、映像入力端子として、例えば、ＨＤＭＩ（High-Definition Multimedia Interface：登録商標）端子、ＶＧＡ端子、ＵＳＢ端子、有線ＬＡＮインターフェース、Ｓ端子、ＲＣＡ端子、マイクロフォン端子、および無線ＬＡＮインターフェースのうち少なくとも一つを含む。
【００２６】
送信部１２は、入力部１１により入力が受け付けられた映像データを、電波を介して送信する。送信部１２は、例えば、フェーズドアレイアンテナを含む。映像データの伝送には、例えばいわゆるミリ波帯（例えば６０ＧＨｚ帯）の電波が用いられる。制御部１３は、送信部１２の動作モードを、第１モードおよび第２モードのいずれかに切り替える。第１モードは、映像データを送信しながら電波の最適な送信方向を探すモードである。第１モードにおいて、データ供給装置１０は電波の送信方向を変化させながら最適な送信方向を探す。第２モードは、電波の送信方向が固定されたモードである。制御部１３は、例えば、ＣＰＵ（Central Processing Unit）およびメモリーを含む。
【００２７】
操作部１４は、ユーザーによる、前記動作モードを指定するための操作を受け付ける。操作部１４は、例えば、スライドスイッチまたはボタンを含む。記憶部１５は、最適な送信方向を特定する情報を記憶する。記憶部１５（第１の記憶部の一例）は、不揮発性の記憶装置、例えばフラッシュメモリーを含む。通知部１６は、ユーザーに各種の情報を通知する。通知部１６は、例えば、ＬＥＤ（Light Emitting Diode）ランプまたは液晶ディスプレイを含む。
【００２８】
また、データ供給装置１０の筐体（図示略）には、データ供給装置１０を構造体に物理的に固定するための固定部（例えばネジ孔）が設けられている。
【００２９】
プロジェクター２０は、受信部２１、制御部２２、投写部２３、および報知部２４を有する。受信部２１は、映像データを受信する。受信部２１の動作モードは、送信部１２と同様、２つのモード（データ供給装置の動作モードと区別するため「第３モード」および「第４モード」という）がある。第３モードは、映像データを受信しながら電波の最適な受信方向を探すモードである。第３モードにおいて、プロジェクター２０は電波の受信方向を変化させながら最適な受信方向を探す。第４モードは、電波の受信方向が固定されたモードである。受信部２１は、例えば、フェーズドアレイアンテナを含む。制御部２２は、データ供給装置１０から、データ供給装置１０の動作モードが第２モードに切り替わった旨の通知を受信すると、受信部２１における電波の受信方向を固定する。制御部２２は、例えばＣＰＵおよびメモリーを含む。投写部２３は、受信部２１により受信された映像データにより示される映像を投写する。投写部２３は、例えば、画像処理回路、光源、光学系（レンズ、プリズム、およびミラー等）、および光変調器（液晶パネルまたはデジタルミラーデバイス等）を含む。報知部２４は、受信部２１における電波の受信強度を報知する。報知部２４は、例えば、ＬＥＤランプまたは液晶パネルを含む。
【００３０】
また、プロジェクター２０の筐体（図示略）には、プロジェクター２０を構造体に物理的に固定するための固定部（例えばネジ孔）が設けられている。
【００３１】
３．動作
データ供給装置１０の動作は、ビームステアリングモード（第１モードの一例）および固定モード（第２モードの一例）に分けられる。ビームステアリングモードは、例えば、投写システム１を設置するとき、すなわち、例えばデータ供給装置１０およびプロジェクター２０をある部屋に新たに設置するとき、またはある部屋においてデータ供給装置１０およびプロジェクター２０の位置を移動するときに用いられる。固定モードは、既に設置が完了しているデータ供給装置１０およびプロジェクター２０を使用するときに用いられる。
【００３２】
この例で、操作部１４はスライドスイッチを含んでおり、スライダーの位置によってデータ供給装置１０の動作モードがビームステアリングモード（第１モードの一例）および固定モード（第２モードの一例）のいずれであるかが指定される。ユーザーは、スライドスイッチを操作することによりデータ供給装置１０の動作モードを指定する。
【００３３】
３−１．ビームステアリングモード
図３は、ビームステアリングモードにおけるデータ供給装置１０の動作を示すフローチャートである。図３のフローの開始前において、データ供給装置１０およびプロジェクター２０は、それぞれ構造体（例えば部屋の壁、天井、および家具等）に固定されている。図３のフローは、例えば、以下の（１）〜（４）のいずれかを契機として開始される。
（１）動作モードとしてビームステアリングモードが指定された状態でデータ供給装置１０の電源が投入されたこと。
（２）固定モードで動作しているときにユーザーによる明示的な指示によりビームステアリングモードに切り替えられたこと。
（３）固定モードで動作しているときにデータ供給装置１０とプロジェクター２０との間の通信状態が悪化したことが検知されたこと。
（４）入力部１１を介して映像データが入力されていないこと。
【００３４】
ステップＳ１１において、制御部１３は、送信部１２において最適な電波送信方向を検索する。詳細には例えば以下のとおりである。送信部１２と受信部２１との間の通信にはＨＲＰ（High Rate PHY、第１チャネルの一例）およびＬＲＰ（Low Rate PHY、第２チャネルの一例）の２つのチャネルが用いられる。ＨＲＰは、高速（例えば４Ｇｂｐｓ）の片方向のデータ伝送に用いられる通信チャネルである。ＨＲＰは映像データの伝送に用いられる。ＬＲＰは、低速（例えば４０Ｍｂｐｓ）の双方向のデータ伝送に用いられる通信チャネルである。ＬＲＰは映像データの伝送以外の用途、例えば、ビームステアリングにおける最適方向の検索に用いられる。ＨＲＰの信号およびＬＲＰの信号は、単一のフェーズドアレイアンテナから時分割で出力される。
【００３５】
制御部１３は、送信部１２における電波の送信方向をある角度に設定し、ＬＲＰにおいて質問を送信する。さらにこのとき、制御部１３は、ＨＲＰにおいて所定のテストパターンの映像データを送信するよう送信部１２を制御する。このとき受信部２１は、送信部１２とは独立して電波の受信方向をある角度に設定している。送信部１２における送信方向と受信部２１における受信方向とが適合していれば受信部２１は質問を受信することができる。受信部２１がＬＲＰにおいて質問を受信すると、制御部２２はＨＲＰにおいて映像データを受信し、電波の受信強度およびエラー率を算出する。受信強度およびエラー率により受信状態が所定の基準よりも良好であると判断された場合、制御部２２は、質問に対する回答をＬＲＰにおいて送信するよう受信部２１を制御する。この回答は、受信強度およびエラー率により示される、受信状態の良好さの指数（以下「受信状態指数」という）を含んでいる。送信部１２が回答を受信すると、制御部１３は、その質問に対応する送信方向を特定する情報および受信状態指数を対応付けて記憶する。ある角度で一定期間以上、質問を送信すると、送信部１２は、電波の送信方向を別の角度に変更し、ＬＲＰにおいて質問を送信する。一定期間内に回答を受信しなかった場合、制御部１３は、その質問に対応する送信方向は不適であると判断する。受信部２１は、送信部１２とは独立して電波の受信方向を変更している。送信部１２において送信方向を変更するタイミングおよび受信部２１において受信方向を変更するタイミングは、最適経路を検索できるように設定されている。
【００３６】
送信部１２における電波の送信方向を走査し終えると、制御部１３は、受信状態指数が最も高い方向を特定する（ステップＳ１２）。制御部１３は、この方向を特定する情報を記憶部１５に記憶する。
【００３７】
ステップＳ１３において、制御部１３は、受信状態指数が最も高い方向を向くよう送信部１２における電波の送信方向を制御する。なお受信部２１においても同様に最適な受信方向の検索および制御が行われる。
【００３８】
プロジェクター２０において、報知部２４は、受信部２１が最適な受信方向の検索を行っているときに、受信部２１における電波の受信強度をユーザーに報知する。報知部２４は、例えば、ＬＥＤランプまたは液晶ディスプレイを含んでいる。あるいは、報知部２４は、投写部２３により投写される映像に、電波の受信強度を含ませてもよい。具体的には、報知部は、いわゆるＯＳＤ（On Screen Display）により電波の受信強度を表示してもよい。
【００３９】
最適な送信方向および受信方向が特定された後も、送信部１２はＬＲＰにおいて定期的に質問を送信し、受信部２１からの回答によりプロジェクター２０との通信が所定の基準状態よりも良好な状態に維持されていることを確認する。プロジェクター２０との通信が所定の基準状態が基準よりも悪化したと判断された場合、制御部１３は、ビームステアリングモードの動作をステップＳ１１から開始する。
【００４０】
ステップＳ１４において、制御部１３は、送信部１２の動作モードを固定モードに切り替える。あるいは、制御部１３は、ユーザーに固定モードへの切り替えを促してもよい。制御部１３は、例えば、通知部１６を介して固定モードへの切り替えを促す。あるいは、制御部１３は、固定モードへの切り替えを促す画面を表示させるためのデータをプロジェクター２０に送信する。このデータを受信すると、プロジェクターは、固定モードへの切り替えを促す画面をスクリーンに投写する。ユーザーは、この促しに応じて操作部１４を操作し、データ供給装置１０の動作モードを固定モードに切り替える。動作モードが固定されると、制御部１３は、固定モードへの切り替えの促しを停止する。
【００４１】
ステップＳ１５において、制御部１３は、動作モードが固定モードである旨をプロジェクター２０に通知する。この通知は、ＬＲＰを介して行われる。プロジェクター２０の制御部２２は、データ供給装置１０の動作モードが固定モードである旨の通知を受信すると、受信部２１の動作モードを固定モード（第４モードの一例）に切り替える。制御部２２は受信部２１の動作モードを特定するフラグを記憶するレジスターを有しており、このフラグの値により動作モードを特定する。制御部２２は、フラグの値を、固定モードを示すものに書き替える。なお、ステップＳ１１において送信部１２から送信された質問を受信すると、プロジェクター２０の制御部２２は、フラグの値を、ビームステアリングモード（第３モードの一例）を示すものに書き替える。受信部２１は、ビームステアリングモードのときは最適な受信方向の検索を行うが、固定モードのときは最適な受信方向の検索を行わず受信方向は固定されている。
【００４２】
この例によれば、構造体に固定されたデータ供給装置１０およびプロジェクター２０において、電波の最適な送信方向および受信方向を特定することができる。例えば、ある部屋に新たに導入したデータ供給装置１０およびプロジェクター２０について、最適な伝送経路を自動的に特定することができる。
【００４３】
３−２．固定モード
図４は、固定モードにおけるデータ供給装置１０の動作を示すフローチャートである。図４のフローは、例えば、データ供給装置１０の電源が投入されたことを契機として開始される。
【００４４】
ステップＳ２１において、制御部１３は、送信部１２において電波の最適な送信方向を検索する。この処理は例えばステップＳ１１と同様に行われる。ステップＳ２２において、制御部１３は、ステップＳ２１において得られた最適な送信方向が、記憶部１５に記憶されている情報により示される方向と同じであるか判断する。ここで、「同じ」とは完全一致を意味するものであってもよいし、完全一致の状態から前後所定のマージンを含む範囲内に含まれる状態を意味するものであってもよい。両者が一致していると判断された場合（Ｓ２２：ＹＥＳ）、制御部１３は、処理をステップＳ２４に移行する。両者が一致していないと判断された場合（Ｓ２２：ＮＯ）、制御部１３は、処理をステップＳ２３に移行する。
【００４５】
ステップＳ２３において、制御部１３は、ステップＳ２１において得られた最適な送信方向が、記憶部１５に記憶されている情報により示される方向と異なっている旨をユーザーに通知する。すなわち、制御部１３は、データ供給装置１０およびプロジェクター２０の現状の配置における最適な伝送経路が、投写システム１を前回使用したときの最適な伝送経路と異なっている旨をユーザーに通知する。この通知は、通知部１６を介して行われる。具体的には、通知部１６は、例えばＬＥＤランプを特定の色または特定の点滅パターンで点灯する。あるいは、通知部１６は、液晶ディスプレイに、最適な伝送経路が前回使用時と異なっている旨のメッセージを表示する。
【００４６】
前回使用時からの最適な伝送経路のずれは、例えば、冒頭で説明したようなカーテンの揺れ等の外乱によって起こる。あるいは、前回使用時からの最適な伝送経路のずれは、データ供給装置１０およびプロジェクター２０の少なくとも一方の位置が物理的に移動したことによって起こる。データ供給装置１０およびプロジェクター２０の位置の移動は、意図的な場合もあれば意図的でない場合（部屋を掃除中にデータ供給装置１０が設置されている台にぶつかってしまって台の位置がずれた、等）もある。ユーザーは、部屋の状況から、前回使用時からの最適な伝送経路のずれの原因が、カーテンの揺れ等、一時的なものであるか、あるいはデータ供給装置１０およびプロジェクター２０の位置の移動による永続的なものであるか判断する。前回使用時からの最適な伝送経路のずれの原因が永続的なものであると判断した場合、ユーザーは、操作部１４を操作して、ビームステアリングモードへの切り替えを指示する。前回使用時からの最適な伝送経路のずれの原因が一時的なものであると判断した場合、ユーザーは、その通知を無視することができる。
【００４７】
ステップＳ２４において、制御部１３は、記憶部１５に記憶されている情報により特定される方向を向くよう、送信部１２における電波の送信方向を制御する。以降、プロジェクター２０との通信状態が悪化したことを示すイベントが発生するまでは最適な伝送経路の検索（ビームステアリング）は行われず、送信部１２における送信方向および受信部２１における受信方向は固定されたままである。
【００４８】
この例によれば、データ供給装置１０およびプロジェクター２０の位置が固定された後など、最適な伝送経路が変化していないと考えられる状況においてはビームステアリングが行われない。したがって、投写システム１の状況によらず常にビームステアリングを行う例と比較して、一時的な外乱により伝送経路が切り替えられてしまうことは起こらず、データ供給装置１０とプロジェクター２０との間の通信がより安定する。
【００４９】
またこの例では、固定モードにおいては起動時に前回使用時との最適経路のずれの有無が確認され、ずれがあった場合にはユーザーに通知がされる。したがってユーザーは、最適経路のずれがあったことを容易に知ることができる。
【００５０】
４．変形例
本発明は上述の実施形態に限定されるものではなく、種々の変形実施が可能である。以下、変形例をいくつか説明する。以下の変形例のうち２つ以上のものが組み合わせて用いられてもよい。
【００５１】
４−１．変形例１
データ供給装置１０は操作部１４を有していなくてもよい。この場合、制御部１３は、ユーザーの明示的な指示によらずに動作モードを切り替える。例えば、制御部１３は、データ供給装置１０の電源が投入される度に、ビームステアリングモードの処理を実行してもよい。制御部１３は、データ供給装置１０の動作モードを特定するフラグを記憶するレジスターを有しており、このフラグの値により動作モードを特定する。例えば図３のステップＳ１４において制御部１３は、フラグの値を、固定モードを示すものに書き替える。あるいは、プロジェクター２０との通信状態が悪化したことを示すイベントが発生した場合、制御部１３は、フラグの値を、ビームステアリングモードを示すものに書き替える。
【００５２】
４−２．変形例２
データ供給装置１０は記憶部１５を有していなくてもよい。この場合、図４のフローは行われず、ビームステアリングモードにおいて最適な伝送経路が発見された後、自動的に、またはユーザーの明示的な指示によって、固定モードに移行する。
【００５３】
４−３．変形例３
電波の最適な送信方向を検索するときにＨＲＰを介して送信する映像データは、記憶部１５に記憶されている所定のテストパターンに限定されない。映像供給装置から供給される映像データが送信されてもよい。
【００５４】
４−４．変形例４
通知部１６が通知する情報は実施形態で例示したものに限定されない。例えば、通知部１６は、電波の送信方向が最適な送信方向になっていることを通知してもよい（第１通知部の一例）。あるいは、通知部１６は、データ供給装置１０の動作モードが第１モードおよび第２モードの一方から他方に切り替わったことを通知してもよい（第２通知部の一例）。また、通知部１６は省略されてもよい。
【００５５】
４−５．変形例５
固定モードの動作において、ステップＳ２１およびＳ２２の処理は省略されてもよい。すなわち、固定モードにおいて電源投入時の最適な送信方向の検索は行われなくてもよい。
【００５６】
４−６．他の変形例
データ供給装置１０がプロジェクター２０に送信するデータは、映像供給装置から受信した映像データに限定されない。データ供給装置１０は、記憶部１５（この場合は第２の記憶部の一例）に記憶された映像データをプロジェクター２０に送信してもよい。最適な送信方向を特定する情報を記憶する記憶部（第１の記憶部）と映像データを記憶する記憶部（第２の記憶部）とは同じであってもよいし、物理的に異なる装置であってもよい。
【００５７】
データ供給装置１０およびプロジェクター２０のハードウェア構成は実施形態で例示したものに限定されない。例えば、データ供給装置１０の送信部１２は、ＨＲＰ送信用のアンテナと、ＬＲＰ送信用のアンテナと、２つのアンテナを有していてもよい。また、例えば、プロジェクター２０は、報知部２４を有していなくてもよい。
【００５８】
データ供給装置１０がデータを供給する相手装置は、プロジェクター２０に限定されない。相手装置は、無線により送信されるデータを処理する装置であればどのようなものでもよく、送信されるデータは映像データに限定されない。例えば、相手装置は楽曲再生装置であり、無線により送信されるデータは楽曲データであってもよい。
【符号の説明】
【００５９】
１…投写システム、１０…データ供給装置、１１…入力部、１２…送信部、１３…制御部、１４…操作部、１５…記憶部、１６…通知部、２０…プロジェクター、２１…受信部、２２…制御部、２３…投写部、２４…報知部
【図１】
0006631183.tif 000002
【図２】
0006631183.tif 000003
【図３】
0006631183.tif 000004
【図４】
0006631183.tif 000005